(57)【要約】      （修正有）【課題】携帯性に優れた軽量でコンパクトなランタンとして使用可能な照明装置を提供する。【解決手段】光源を構成するＬＥＤ１０を表面に複数個配置した薄板状の発光器本体２と、発光器本体２の表面全体を覆う薄肉素材で形成したカバー体３を有し、カバー体３は、ＬＥＤ１０ごとに発光した光を前方に向かって反射させる反射手段２３を有したことを特徴とする。また、発光器本体２を装着する開口１５を形成した板状の枠部材１４を有し、発光器本体２を枠部材１４とともに透光性を有する透明若しくは半透明素材によって形成した密閉ケース４内に収容した。【選択図】図２
0003207298.tif 000002
【実用新案登録請求の範囲】
【請求項１】
光源を構成するＬＥＤを表面に複数個配置した薄板状の発光器本体と、
前記発光器本体の表面全体を覆う薄肉素材で形成したカバー体を有し、
前記カバー体は、前記光源ごとに発光した光を前方に向かって反射させる反射手段を有したことを特徴とする照明装置。
【請求項２】
前記発光器本体を装着する開口を形成した板状の枠部材を有し
前記発光器本体を前記枠部材とともに透光性を有する透明若しくは半透明素材によって形成した密閉ケース内に収容したことを特徴とする請求項１記載の照明装置。
【請求項３】
前記枠部材に磁石を装着したことを特徴とする請求項２記載の照明装置。
【請求項４】
前記密閉ケースは、溶着によって周囲を接着した表裏２枚の樹脂シートによって形成したものであることを特徴とする請求項２または３記載の照明装置。
【請求項５】
夜光性若しくは蓄光性素材によって発光する発光体を前記カバー体の表面に設けたことを特徴とする請求項１乃至４の何れか一項記載の照明装置。
【請求項６】
前記請求項１乃至５の何れかの照明装置を、衣服等に対する取付手段を設けた透光性を有するケース内に収容したことを特徴とする照明具。
【請求項７】
前記ケースを、表面を梨地状に粗面加工した樹脂シートによって形成したことを特徴とする請求項６記載の照明具。
【考案の詳細な説明】
【技術分野】
【０００１】
本考案は照明装置および照明具に関するものである。
【背景技術】
【０００２】
発光ダイオード（以下「ＬＥＤ」という）を光源とした照明装置として各種の機器がある。例えば、一定の広域空間を照らすように形成された照明装置として特許文献１に記載の太陽光発電ランプがある。これは、空気によって膨らませて自立する半透明のハウジングを有し、壁や天井に容易に取り付けたり持ち運んだりすることができるように構成されたものである。そして、ハウジング内においてプリント回路基板に取り付けた複数のＬＥＤと反射板を対向させた構造を有し、ハウジング内で反射した光によって周囲を照らすように構成している。
【０００３】
上記のようなランプ若しくはランタンと称される形態の照明装置は、懐中電灯のようにサーチライトのような強い光線によって特定の対象物や領域を一時的に照らすのではなく、適度の明るさで比較的広範囲を継続的に照らすことを目的とするものである。
しかしながら、従来のランプやランタンは光を周囲に拡散するため、上記のような光の反射によって拡散を行うハウジングを有し、比較的広範囲を照らすように構成されたものである。また、光源の明るさは、できるだけ明るい方が良いとされている。
【先行技術文献】
【特許文献】
【０００４】
【特許文献１】特許第５８９８３８６号公報
【考案の概要】
【考案が解決しようとする課題】
【０００５】
通常のランプやランタンのような照明装置は、机上に置いたり空間の上方に吊したりして空間を広範囲に照らすことを主な目的としている。そして、上記のような従来のランプやランタンのように、光を拡散させて周囲を照射するために比較的体積の大きな立体的ハウジングを有している。
しかしながら、大きなハウジングを有する照明装置は、使用者が身につけて携行するには大きすぎし、収容時にはかさばるものである。また、空気で膨らませるものについては、使用の度に膨らませ、収容時に萎ませるのは面倒である。
本考案は、上記の事情に鑑み考案したものであって、携帯性に優れた軽量でコンパクトなランタンとして使用可能な照明装置の提供を課題とするものである。
【課題を解決するための手段】
【０００６】
上記課題を解決するために本考案は以下の構成を有する。すなわち、照明装置であって、
光源を構成するＬＥＤを表面に複数個配置した薄板状の発光器本体と、
前記発光器本体の表面全体を覆う薄肉素材で形成したカバー体を有し、
前記カバー体は、前記光源ごとに発光した光を前方に向かって反射させる反射手段を有したことを特徴とする。
【０００７】
また、本考案は、照明具であって、
上記照明装置を、衣服等に対する取付手段を設けた透光性を有するケース内に収容したことを特徴とする。
【考案の効果】
【０００８】
本考案に係る照明装置は、光源を構成するＬＥＤを表面に複数個配置した薄板状の発光器本体に、光の照射方向を誘導する反射鏡を形成した同じく薄型のカバー体を装着したものである。この構成により、ランタンのように比較的広範囲を照らすことが可能でありながら、薄く軽量な照明装置を提供することが可能であるという効果を有している。また、密閉ケース内に磁石を装着した枠部材等と共に収容することで、防水性を有する照明装置のアセンブリを行うことができるという効果を有している。
また、クリップ等を備えたホルダーに照明装置を収容することにより、衣服等への取付を可能にした照明具を構成することが可能であるという効果を有している。
【図面の簡単な説明】
【０００９】
【図１】本考案に係る照明装置の外観および使用例を表した説明図である。
【図２】本考案に係る照明装置の分解斜視図である。
【図３】本考案に係る照明装置のＬＥＤを設けた部位を断面で表した説明図である。
【考案を実施するための形態】
【００１０】
以下、本考案を実施するための形態について図を用いて説明する。
図１は、本考案に係る照明装置１の外観および使用例を表した説明図である。照明装置１は、詳細には後述する発光器本体２と、発光器本体２に装着するカバー体３、カバー体３を装着した発光器本体２を収容する透光性を有する透明若しくは半透明の樹脂シートによって形成したケース４を有している。また、照明装置１は、挟着式のつり下げ用のクリップ５を取り付けた透光性を有する透明若しくは半透明の樹脂シートによって形成したホルダー６に収容可能となっている。以下、各部材について詳細に説明する。
【００１１】
図２は照明装置１の分解斜視図である。照明装置１は、一例として矩形板状の発光器本体２を有している。
発光器本体２は、プリント配線基板として構成された基板２ａを有しており、その表面に略等間隔に円環状に配置した複数個（一例として１０個）のＬＥＤ１０を配置したものである。なお、本実施の形態では基板２ａを矩形に形成しているが、円形など他の形状に形成しても差し支えがないものである。また、同図中Ａで示した円内の図は、発光器本体２の裏面を表している。裏面には、太陽電池パネル１１、押しボタンスイッチ１２およびインジケーター１３が設けられている。
【００１２】
太陽電池パネル１１は、太陽光若しくは他の光源の光によって発電するパネルであり、発光器本体２内に内蔵（図示せず）した蓄電池に発電した電気を蓄積するようになっている。
押しボタンスイッチ１２は、このスイッチを押すと低光量で発光し、もう一度押すと最大光量で発光し、もう一度押すと点滅発光し、さらにもう一度押すと消灯するというサイクルで発光内容を制御するようになっている。
蓄電池に蓄積した電力量は、４個のＬＥＤからなるインジケーター１３によって表されるようになっており、蓄電量が最大の場合には４個のＬＥＤが点灯し、残量が７５パーセントの場合には３個のＬＥＤ、５０パーセントの場合には２個のＬＥＤ、２５パーセントの場合には１個のＬＥＤを点灯させるようになっている。
上記のように発光器本体２は、その表面に照明用の光源を構成する複数個のＬＥＤ１０を分散させて配置し、裏面にＬＥＤ１０を点灯させる電力を生成する太陽電池パネル１１を設けた構成を有している。
【００１３】
また、本実施の形態においては、基板２ａと同程度の肉厚を有するとともに、基板２ａと略同型状であって基板２ａを嵌め込んで装着することができる形状の開口１５を形成した板状の枠部材１４を設けている。この枠部材１４には、開口１５を介して対向する位置に表裏貫通する孔１６を設けており、孔１６に磁石１７を嵌め込むようになっている。磁石１７は、鉄等で形成された部材に照明装置１を固定するために使用されるようになっている。
一例として枠部材１４は厚紙によって形成されている。このため、軽量であるとともに開口１５等のヌキ加工も安価に行うことができ、さらに商品説明等の文字情報や図形等の印刷も容易となっている。
【００１４】
発光器本体２の前面には、発光器本体２を嵌め込んだ枠部材１４を含めて表面を覆うカバー体３が装着されるようになっている。
カバー体３は、薄肉樹脂板を成型したブリスター状の部材であり、枠部材１４の表面に当接しながら覆う外周部２０と、発光器本体２の前面部を覆う中央部２１を有している。また、カバー体３は、枠部材１４の外周縁９を覆う周縁部２７を有しており、発光器本体２を含む枠部材１４を、カバー体３内において拘束するように配置するようになっている。
中央部２１は、外周部２０よりも隆起した平面として形成されており、発光器本体２との間に数ｍｍ程度の空間を設けている。
また、カバー体３の中央付近には、蓄光素材、夜行素材等の発光素材によって発光する発光体として３０ｍｍ四方の矩形の発光シート２２が貼り付けられている。これにより、例えば停電によって明かりを消失した場合であっても、発光シート２２が発光することによって照明装置１の所在を認識させることが可能になっている。
【００１５】
カバー体３の中央領域を成す平面部には、光源を構成する各ＬＥＤ１０に対応して漏斗状に陥没した凹部２３を設けている。凹部２３の底部は孔として開口しており、ＬＥＤ１０が表出するようになっている。Ｂで示した円内の図は、カバー体３の裏面を表している。同図に示すように、各凹部２３は平面部の裏面から突出する筒状の部位として形成されている。各凹部２３の底部に相当する筒状の部位の先端２５は、カバー体３の装着に伴って基板２ａの表面に当接する程度の高さに形成されており、これにより凹部２３の内面２６に面して各ＬＥＤ１０が配置されるようになっている。また、カバー体３は、光の反射が行われやすいように蒸着その他の手段によって金属光沢を有するような表面処理若しくは着色が行われており、前述した漏斗形状に形成した凹部２３が反射手段となり内面２６を反射鏡としてＬＥＤ１０が発光した光を表面から前方に向かって放射するようになっている。
【００１６】
また、照明装置１は半透明の樹脂シートによって形成したケース４を有している。ケース４は、透光性を有する透明若しくは半透明のビニールシート４ａ、４ｂを重ねて周囲を溶着（溶着部７）することによって形成した気密性を有する薄型の袋状部材として形成されている。
発光器本体２は、磁石１７とともに枠部材１４に装着され、さらにその表面をカバー体３によって覆われた状態でケース４内に収容されている。すなわち、ケース４を構成する表裏のビニールシート４ａ、４ｂは、枠部材１４に装着した発光器本体２および磁石１７をカバー体３とともに表裏から挟み、これらの外形に沿って溶着することにより各部材を固定するようになっている。
【００１７】
ビニールシート４ａ、４ｂは光を透過する素材によって形成されているので、ケース４に収容した状態で電力の充電、インジケーター１３による充電量の確認、ＬＥＤ１０の発光による照明を行うことができるようになっている。
また、前述したように枠部材１４は厚紙によって形成されている。しかしながら、枠部材１４および電気的な回路を搭載した基板２ａは、気密的に密閉されたケース４内に収容されているため、防水機能が強固であり屋外において風雨に晒されても枠部材１４や基板２ａ等が損傷せず使用不能になることが無い。
【００１８】
図３は、照明装置１のＬＥＤ１０を設けた部位（図１におけるＸ部分）を断面で表した説明図である。同図に示すように、ＬＥＤ１０はカバー体３に設けた漏斗形状に形成した凹部２３の底部分に配置される。そして、凹部２３内のすり鉢状の内面２６を反射鏡として作用させることでＬＥＤ１０が発光した光に指向性を与えている。カバー体３の表面は、着色若しくは表面処理によって光を反射しやすいようになっており、照明装置１の表面から効率よく前方を照らすことが可能になっている。
【００１９】
上記構成の照明装置１は、ホルダー６に収容した発光具として使用することが可能である。ホルダー６は、一例として透光性を有するビニールによって矩形に形成した袋状の部材であり、スライド式のファスナー８によって開閉する開口部を有している。照明装置１は、この開口部を介して内部に収容されるようになっている。
ホルダー６は、一例として透光性を有するビニールシートによって形成されているが、少なくともＬＥＤ１０の発光面側に接する側面のビニールシートの表面は粗面加工によって梨地状に形成されている。この梨地状に形成されたビニールシートは、透過する光線を散乱させる作用を有するので、特定の位置だけが明るくなるのを防ぎ、広い照射範囲を均等に照らす作用を有している。
ホルダー６には、つり下げ用の挟着式のクリップ５等の取付手段が設けられている。取付手段の形態は様々であり、クリップ５のように衣服等を挟む形式の他、安全ピン、つり下げ用のＣ型フックやＳ型フック、磁石を用いたもの等特定の方式や形態に限定されるものではない。
【００２０】
以上説明した照明装置１の厚みは、ほぼ回路基板を兼ねる基板２ａとこの基板２ａの表面部を覆うカバー体３によって定まるものであり１ｃｍにも満たないものである。このように、照明装置１は薄型の装置であり、かつ軽量であるから、携行時にかさばることがなく持ち運び時に邪魔にならないといものとなっている。
また、照明装置１は、袋状のケース４に収容し周囲を溶着することによって各構成部材の位置が定まり、組み立てを行うことができるようになっている。すなわち、組み立てが簡単であり、製造コストが低い構造を有している。
また、枠部材１４に設けた孔１６に磁石を嵌挿するだけの簡単な構成によって、照明装置１を鉄等に対して吸着させることが可能になっている。しかも、前述のように軽量に形成されているので、自重による落下の可能性は少なく、高いところに取り付けても安心である。
【００２１】
また、自動車のボディーやボンネット等の鉄製の箇所へ付着できるので、修理やメンテナンス、緊急停車時における他車への注意喚起などの用途にも適している。
また、ビニールシートによって形成したホルダー６に収容すると、クリップ５を利用して衣服への取り付が容易になり、夜間や暗い場所で作業をする場合に両手が自由に使えるようになる。例えば、新聞記者や警察官の場合、事故現場等でのメモ等記載や現場処理時の明かりの確保が容易になる。この場合、ホルダー６を構成するビニールシートを梨地状に加工しているので、光の拡散効果と光量の減衰により、使用者の身近に取り付けてもまぶしさを軽減することが可能になっている。さらに、押しボタンスイッチ１２の操作によって発光光量の調節も可能になっている。
【００２２】
本照明装置１は、光源となるＬＥＤ１０を平面上に複数個配置するとともに、各光源に近接させて反射鏡を設けることで、全体の高さ（厚み）を低く構成するとともに、照射方向の中央を中心としつつ比較的広範囲を照らすように構成されている。すなわち、従来例で示したランタンのように、大きなハウジングを設ける必要がないという特徴を有している。
以上説明した本考案に係る照明装置および照明具に関する事項は、実用新案登録請求の範囲を逸脱しない範囲で、適宜組み合わせることが可能である。
【産業上の利用可能性】
【００２３】
本考案は、ランプやランタンのような照明装置、照明具として利用可能であり、設置場所の制約が少ない緊急時用の照明手段として利用可能である。
【符号の説明】
【００２４】
１           照明装置
２           発光器本体
３           カバー体
４           ケース
６           ホルダー
７           溶着部
８           ファスナー
９           外周縁
１０       ＬＥＤ（光源）
１１       太陽電池パネル
１２       押しボタンスイッチ
１３       インジケーター
１４       枠部材
１５       開口
１７       磁石
２３       凹部（反射手段）
【図１】
0003207298.tif 000003
【図２】
0003207298.tif 000004
【図３】
0003207298.tif 000005